【手続補正書】
【提出日】平成20年4月15日(2008.4.15)
【手続補正１】
【補正対象書類名】明細書
【補正対象項目名】特許請求の範囲
【補正方法】変更
【補正の内容】
【特許請求の範囲】
【請求項１】
磁気共鳴(ＭＲ)室内で使用される通信システムにおいて、
前記ＭＲ室には、前記ＭＲ室の電磁遮断領域内に配置されており、動作周波数帯を有するスキャナがあり、
（ａ) 前記電磁遮断領域外に配置されたシステムコントローラと、
（ｂ）前記スキャナの前記動作周波数帯外で動作するように構成されており、前記電磁遮断領域外に配置された前記システムコントローラと通信する第１ＲＦ通信ユニットと、
（ｃ）前記スキャナの前記動作周波数帯外で動作するように構成されており、前記電磁遮断領域内に配置された第２ＲＦ通信ユニットと、
（ｄ）前記スキャナの前記動作周波数帯外で動作するように構成されており、前記電磁遮断領域内に配置された少なくとも１つの中間通信ユニットと、
を具えており、
前記第１ＲＦ通信ユニットは、前記少なくとも１つの中間通信ユニットを通じて前記第２ＲＦ通信ユニットと通信できる通信システム。
【請求項２】
前記第１ＲＦ通信ユニット、前記第２ＲＦ通信ユニット及び前記少なくとも１つの中間通信ユニットの周波数は、約１ギガヘルツ以上である、請求項１の通信システム。
【請求項３】
前記第１ＲＦ通信ユニット、前記第２ＲＦ通信ユニット及び前記少なくとも１つの中間通信ユニットの１又は複数の通信ユニットは、トランシーバを具える、請求項１の通信システム。
【請求項４】
前記第１ＲＦ通信ユニット、前記第２ＲＦ通信ユニット及び前記少なくとも１つの中間通信ユニットは、少なくとも２つの異なるＲＦ周波数を送受信してデータを確認し、それらＲＦ周波数の各々は、前記スキャナの前記動作周波数帯外である、請求項１の通信システム。
【請求項５】
前記第１ＲＦ通信ユニット、前記第２ＲＦ通信ユニット及び前記少なくとも１つの中間通信ユニットで送受信される１又は複数のＲＦ信号を確認するために動作する所定の確認アルゴリズムを更に具えている、請求項１の通信システム。
【請求項６】
前記システムコントローラはオペレータインターフェイスを具える、請求項１の通信システム。
【請求項７】
患者へ流体媒体を注入するインジェクタを更に具えており、前記第２ＲＦ通信ユニットは、動作可能なように前記インジェクタに接続されて、前記インジェクタと共に移動可能である、請求項１の通信システム。
【請求項８】
前記第１ＲＦ通信ユニットは、前記電磁遮断領域内に置かれており、非干渉通信機器を介して、動作可能なように前記システムコントローラに接続されている、請求項１の通信システム。
【請求項９】
前記非干渉通信機器には、光ファイバケーブルが含まれる、請求項８の通信システム。
【請求項１０】
磁気共鳴(ＭＲ)室内で使用される通信システムにおいて、
前記ＭＲ室には、前記ＭＲ室の電磁遮断領域内に配置されており、動作周波数帯を有するスキャナがあり、
（ａ) 前記電磁遮断領域外に配置されたシステムコントローラと、
（ｂ）前記スキャナの前記動作周波数帯外で動作するように構成されており、前記電磁遮断領域内に配置された第１ＲＦ通信ユニットと、
（ｃ）前記第１ＲＦ通信ユニット及び前記システムコントローラに、動作可能なように接続された非干渉通信機器と、
（ｄ）前記スキャナの前記動作周波数帯外で動作するように構成されており、前記電磁遮断領域内に配置された第２ＲＦ通信ユニットと、
を具えている通信システム。
【請求項１１】
前記非干渉通信機器には、光ファイバケーブルが含まれる、請求項１０の通信システム。
【請求項１２】
前記スキャナの前記動作周波数帯外で動作するように構成されており、前記電磁遮断領域内に配置された少なくとも１つの中間通信ユニットを更に具えており、
前記第１ＲＦ通信ユニットは、前記少なくとも１つの中間通信ユニットを通じて前記第２ＲＦ通信ユニットと通信できる、請求項１０の通信システム。
【請求項１３】
前記第１ＲＦ通信ユニット、前記第２ＲＦ通信ユニット及び前記少なくとも１つの中間通信ユニットの周波数は、約１ギガヘルツ以上である、請求項１０の通信システム。
【請求項１４】
前記第１ＲＦ通信ユニット及び前記第２ＲＦ通信ユニットの１つ又は両方は、トランシーバを具える、請求項１０の通信システム。
【請求項１５】
前記第１ＲＦ通信ユニット及び前記第２ＲＦ通信ユニットは、少なくとも２つの異なるＲＦ周波数を送受信してデータを確認し、それらＲＦ周波数の各々は、前記スキャナの前記動作周波数帯外である、請求項１０の通信システム。
【請求項１６】
前記第１ＲＦ通信ユニット及び前記第２ＲＦ通信ユニットで送受信される１又は複数のＲＦ信号を確認するために動作する所定の確認アルゴリズムを更に具えている、請求項１０の通信システム。
【請求項１７】
前記システムコントローラはオペレータインターフェイスを具える、請求項１０の通信システム。
【請求項１８】
患者へ流体媒体を注入するインジェクタを更に具えており、前記第２ＲＦ通信ユニットは、動作可能なように前記インジェクタに接続されて、前記インジェクタと共に移動可能である、請求項１１の通信システム。
【請求項１９】
電磁遮断領域内に配置されており、患者に流体媒体を注入するインジェクタシステムにおいて、
（ａ) 前記電磁遮断領域内に配置された動力付インジェクタと、
（ｂ）前記動力付インジェクタと一体化されることで、前記動力付インジェクタと共にユニットとして移動可能である第１通信ユニットと、
（ｃ) オペレータインタフェースを有しており、前記電磁遮断領域外に配置されたシステムコントローラと、
（ｄ）前記システムコントローラと一体化された第２通信ユニットと、
（ｅ）前記第１通信ユニットと前記第２通信ユニットの間で、それ故に、前記動力付インジェクタと前記システムコントローラの間で、確認技術を用いた通信を可能とする中間通信ユニットと、
を具えており、
前記第１通信ユニット、前記第２通信ユニット及び前記中間通信ユニットは、空中に高周波(ＲＦ)エネルギーを送信することで通信するように構成されており、前記ＲＦエネルギーは、磁気共鳴撮像スキャナに大きな影響を生じないように選択されるインジェクタシステム。
【請求項２０】
前記ＲＦエネルギーは、前記磁気共鳴撮像スキャナの周波数帯外の電磁エネルギーである、請求項１９のインジェクタシステム。
【請求項２１】
前記ＲＦエネルギーの周波数は約１ギガヘルツ以上である、請求項２０のインジェクタシステム。
【請求項２２】
前記中間通信ユニットは前記電磁遮断領域内に配置される、請求項１９のインジェクタシステム。
【請求項２３】
前記電磁遮断領域内に配置された複数の中間通信ユニットを有しており、それら中間通信ユニットは、前記第１通信ユニットと前記第２通信ユニットの間で、それ故に、前記動力付インジェクタと前記システムコントローラの間で通信を可能とする、請求項１９のインジェクタシステム。
【請求項２４】
電磁遮断バリアの第１の側に配置されたＭＲスキャナを用いたシステムにおいて、
（ａ) 患者への流体媒体の注入を制御するインジェクタ制御ユニットであって、前記電磁遮断バリアの前記第１の側に配置され、前記インジェクタ制御ユニットと一体化した第１通信ユニットを具えるインジェクタ制御ユニットと、
（ｂ）前記電磁遮断バリアの前記第２の側に配置されたシステムコントローラであって、前記システムコントローラと一体化した第２通信ユニットを具えるシステムコントローラと、
（ｃ) 前記第１通信ユニットと前記第２通信ユニットの間で、それ故に、前記インジェクタ制御ユニットと前記システムコントローラの間で、確認技術を用いた通信を可能とする中間通信ユニットと、
を具えており、
前記第１通信ユニットは、空中に高周波(ＲＦ)エネルギーを送信することで、前記中間通信ユニットを介して、前記第２通信ユニットと双方向方式で通信するように構成されており、前記ＲＦエネルギーは、磁気共鳴撮像スキャナに大きな影響を生じないように選択されるシステム。
【請求項２５】
前記第１通信ユニットと前記第２通信ユニットの間で、それ故に、前記インジェクタ制御ユニットと前記システムコントローラの間で通信を可能とする複数の中間通信ユニットを有している、請求項２４のシステム。
【請求項２６】
前記ＲＦエネルギーは、前記ＭＲスキャナの周波数帯外の電磁エネルギーで構成される、請求項２４のシステム。
【請求項２７】
前記ＲＦエネルギーは約１ギガヘルツ以上である、請求項２６のシステム。
【請求項２８】
磁気共鳴(ＭＲ)室で使用される通信システムにおいて、
前記ＭＲ室は、撮像部屋を前記ＭＲ室のその他の領域から分離する遮断バリアを有しており、
（ａ) 第１受信器と第１送信器を具えており、前記遮断バリア内に配置された第１通信ユニットと、
（ｂ）第２受信器と第２送信器を具えており、前記遮断バリア外に配置された第２通信ユニットと、
（ｃ）前記第１通信ユニットと前記第２通信ユニットの間で通信を可能とする少なくとも１つの中間通信ユニットと、
を具えており、
前記第１通信ユニットは、空中に高周波(ＲＦ)エネルギーを送信することで、前記少なくとも１つの中間通信ユニットを介して、前記第２通信ユニットと双方向方式で通信するように構成されており、前記ＲＦエネルギーは、前記ＭＲ室のＭＲシステムに大きな影響を生じないように選択される通信システム。
【請求項２９】
前記第１通信ユニットは、シールドハウジング内に配置される、請求項２８の通信システム。
【請求項３０】
前記第１通信ユニットは、インジェクタシステムのインジェクタ制御ユニットのシールドハウジング内に配置される請求項２８の通信システム。
【請求項３１】
前記第２通信ユニットは、前記インジェクタシステムのシステムコントローラと関係する、請求項３０の通信システム。
【請求項３２】
前記少なくとも１つの中間通信ユニットは、
（ａ) 前記遮断バリアの一方の側に配置された１つの中間通信ユニットと、
（ｂ）前記遮断バリアの他方の側に配置されたもう１つの中間通信ユニットと、
（ｃ）前記１つの中間通信ユニットと前記もう１つの中間通信ユニットを、前記遮断バリアを通って互いに接続することで、前記少なくとも１つの中間通信ユニットを介した前記第１通信ユニットと前記第２通信ユニットの間の通信を可能とする非干渉通信機器と、
を具える、請求項２８の通信システム。
【請求項３３】
前記非干渉通信機器には、光ファイバケーブルが含まれる、請求項３２の通信システム。
【請求項３４】
前記第１通信ユニット、前記第２通信ユニット及び前記少なくとも１つの中間通信ユニットは、ＩＳＭバンドの高周波で動作する、請求項３２の通信システム。
【請求項３５】
磁気共鳴(ＭＲ)室で使用される通信システムにおいて、
前記ＭＲ室は、撮像部屋を前記ＭＲ室のその他の領域から分離する遮断バリアを有しており、
（ａ) 前記遮断バリア内に配置されており、前記遮断バリア内に置かれた第１トランシーバと送受信可能な第１中間通信ユニットと、
（ｂ）前記遮断バリア外に配置されており、前記遮断バリア外に置かれた第２トランシーバと送受信可能な第２中間通信ユニットと、
（ｃ）前記第１中間通信ユニットと前記第２中間通信ユニットを、前記遮断バリアを通って互いに接続することで、前記第１中間通信ユニットと前記第２中間通信ユニットを介した前記第１トランシーバと前記第２トランシーバの間の通信を可能とする非干渉通信機器と、
を具えている通信システム。
【請求項３６】
前記非干渉通信機器には、光ファイバケーブルが含まれる、請求項３５の通信システム。
【請求項３７】
前記第１中間通信ユニット、前記第２中間通信ユニット及び前記少なくとも１つの中間通信ユニットは、ＩＳＭバンドの高周波で動作する、請求項３６の通信システム。
【請求項３８】
（i）前記第１トランシーバは、患者への流体媒体の注入を制御するインジェクタと一体化されて、前記インジェクタと共に移動可能であり、（ii）前記第２トランシーバは、システムコントローラと一体化されて、前記システムコントローラと共に移動可能であり、前記インジェクタと前記システムコントローラの間で、前記第１中間通信ユニット及び前記第２中間通信ユニットを介して通信可能である、請求項３５の通信システム。